(57)【要約】【課題】情報処理装置の使用状態に応じて、光ディスク装置への電源供給を制御する。【解決手段】実施の形態の情報処理装置は、トレイを有する光ディスク装置と、前記光ディスク装置から前記トレイを排出させる排出条件を設定する設定手段と、前記設定された排出条件を満たす場合に、前記光ディスク装置から前記トレイを排出させる光ディスク装置制御手段と、情報処理装置本体の駆動電源が第１の電源であるか第２の電源であるかを判別する電源判別手段と、前記電源判別手段による判別結果に応じて、前記設定手段により設定された前記排出条件を変更する手段と、を備えている。【選択図】図５
2012195049.tif 000002
【特許請求の範囲】
【請求項１】
トレイを有する光ディスク装置と、
前記光ディスク装置から前記トレイを排出させる排出条件を設定する設定手段と、
前記設定された排出条件を満たす場合に、前記光ディスク装置から前記トレイを排出させる光ディスク装置制御手段と、
情報処理装置本体の駆動電源が第１の電源であるか第２の電源であるかを判別する電源判別手段と、
前記電源判別手段による判別結果に応じて、前記設定手段により設定された前記排出条件を変更する手段と、
を備える情報処理装置。
【請求項２】
前記第１の電源は、外部電源である、請求項１記載の情報処理装置。
【請求項３】
前記第２の電源は、前記情報処理装置本体に内蔵されたバッテリである、請求項１又は２記載の情報処理装置。
【請求項４】
前記排出条件は、前記光ディスク装置が備えるイジェクトスイッチを第１の時間以上、押下する操作である第１の排出条件と、前記第１の時間よりも長い第２の時間以上、前記イジェクトスイッチを押下する操作である第２の排出条件と、のうちのいずれかを含み、
前記排出条件を変更する手段は、前記電源判別手段による判別結果に応じて、前記第１の排出条件と前記第２の排出条件とを切り替える、
請求項１ないし３のいずれか１項に記載の情報処理装置。
【請求項５】
前記排出条件は、前記光ディスク装置が備えるイジェクトスイッチを１回押下する操作である第３の排出条件と、前記イジェクトスイッチを所定時間内に複数回押下する操作である第４の排出条件と、のうちのいずれかを含み、
前記排出条件を変更する手段は、前記電源判別手段による判別結果に応じて、前記第３の排出条件と前記第４の排出条件とを切り替える、
請求項１ないし３のいずれか１項に記載の情報処理装置。
【請求項６】
前記情報処理装置本体の移動を検出する検出手段と、
前記情報処理装置本体の各部に対し前記駆動電源からの電力の供給を制御する電源制御手段と、
をさらに具備し、
前記電源制御手段は、前記光ディスク装置に対する電力の供給が停止された状態において、前記情報処理装置本体の前記駆動電源が前記第２の電源であると判別され、かつこの判別結果に応じて変更された、前記情報処理装置本体の移動が検出されなかったことを条件として含む前記排出条件を満たしている場合、前記光ディスク装置に対して前記第２の電源からの電力の供給を開始する、
請求項２記載の情報処理装置。
【請求項７】
トレイを有する光ディスク装置を備えた情報処理装置の電源制御方法であって、
前記光ディスク装置から前記トレイを排出させる排出条件を設定するステップと、
前記情報処理装置の駆動電源が第１の電源であるか第２の電源であるかを判別するステップと、
前記判別された判別結果に応じて、前記設定された排出条件を変更するステップと、
前記変更された排出条件を満たす場合に、前記光ディスク装置から前記トレイを排出させるステップと、
を有する電源制御方法。
【発明の詳細な説明】
【技術分野】
【０００１】
本発明の実施の形態は、情報処理装置及び電源制御方法に関する。
【背景技術】
【０００２】
バッテリ駆動可能なノート型パーソナルコンピュータは、近年軽量化が進み、外部電源に接続されていない状態であっても使用ができることから、システム動作状態のまま持ち運ぶことができる。
【０００３】
光ディスク装置を搭載したパーソナルコンピュータでは、光ディスク装置のトレイの排出を指示するためのイジェクトボタンが側面に設けられている。そのため、システムが動作状態のまま持ち運ぶ際には、誤ってこのイジェクトボタンが操作され、トレイが開いてしまうことがあった。例えば、鞄の中で誤ってイジェクトボタンが押下されトレイが開くと、鞄の中の他の物などにトレイが接触しトレイが破損する虞がある。
【０００４】
この問題を解決する手法として例えば、パーソナルコンピュータに設けられる加速度センサにより静止している状態か否かを判別し、静止していない状態であればイジェクトボタンを自動的に無効化するものがある。
【先行技術文献】
【特許文献】
【０００５】
【特許文献１】特開２００８−２９９９７０号公報
【発明の概要】
【発明が解決しようとする課題】
【０００６】
しかしながら、加速度センサで検出しない場合であっても、パーソナルコンピュータを持ち運んでいるという状況は起こりえる。このような場合、パーソナルコンピュータを持ち運び中に誤ってイジェクトボタンが押下された場合には、意図しない状況でトレイが排出されてしまう。そこで、より適切にパーソナルコンピュータの使用状況を判別し、光ディスク装置を制御したいという要求がある。
【０００７】
そこで本発明の目的は、情報処理装置の使用状況に応じて、光ディスク装置への電源供給を制御することができる情報処理装置及び電源制御方法を提供することを目的とする。
【課題を解決するための手段】
【０００８】
実施の形態の情報処理装置は、トレイを有する光ディスク装置と、前記光ディスク装置から前記トレイを排出させる排出条件を設定する設定手段と、前記設定された排出条件を満たす場合に、前記光ディスク装置から前記トレイを排出させる光ディスク装置制御手段と、情報処理装置本体の駆動電源が第１の電源であるか第２の電源であるかを判別する電源判別手段と、前記電源判別手段による判別結果に応じて、前記設定手段により設定された前記排出条件を変更する手段と、を備えている。
【０００９】
また、実施の形態の電源制御方法は、トレイを有する光ディスク装置を備えた情報処理装置の電源制御方法であって、前記光ディスク装置から前記トレイを排出させる排出条件を設定するステップと、前記情報処理装置の駆動電源が第１の電源であるか第２の電源であるかを判別するステップと、前記判別された判別結果に応じて、前記設定された排出条件を変更するステップと、前記変更された排出条件を満たす場合に、前記光ディスク装置から前記トレイを排出させるステップと、を有している。
【図面の簡単な説明】
【００１０】
【図１】実施形態の情報処理装置の外観を示す図。
【図２】実施形態の情報処理装置の機能を示すブロック図。
【図３】実施形態の情報処理装置の電源制御を説明する図。
【図４】第１の実施形態の情報処理装置の電源制御手順を示すフローチャート。
【図５】第２の実施形態の情報処理装置の電源制御手順を示すフローチャート。
【図６】第３の実施形態の情報処理装置の電源制御手順を示すフローチャート。
【発明を実施するための形態】
【００１１】
以下、実施の形態について、図面を参照しながら説明する。
まず、本実施の形態における情報処理装置を、図１を参照しながら説明する。図１は、実施形態の情報処理装置の外観を示す図である。本実施の形態においては、情報処理装置としてパーソナルコンピュータ１を例にして説明する。本実施の形態におけるパーソナルコンピュータ１は、ＯＤＤ（Ｏｐｔｉｃａｌ  Ｄｉｓｋ  Ｄｒｉｖｅ）２２を備える。
【００１２】
パーソナルコンピュータ１は、コンピュータ本体２とディスプレイユニット３とが、ヒンジ５を介して回動自在に設けられている。コンピュータ本体２は、タッチパッド６と、キーボード７と、電源スイッチ８と、ＯＤＤ２２と、Ｅｊｅｃｔスイッチ２３とを有する。ディスプレイユニット３には、中央部にディスプレイ４が設けられている。
【００１３】
ＯＤＤ２２は、光ディスクを保持し、本体内に格納するためのトレイを有する。トレイの側面には、本体内に格納したトレイを排出させるためのＥｊｅｃｔスイッチ２３が設けられている。このＥｊｅｃｔスイッチ２３を押下することで、トレイを排出し、トレイに保持されている光ディスクを取り出すことができる。排出したトレイを再び本体内に挿入する際はＯＤＤ２２に対して電源供給は不要であり、ユーザによる手動操作で再挿入される。
【００１４】
本実施の形態におけるパーソナルコンピュータ１は、システム動作中にＯＤＤ２２への電源供給を停止することができる。予めＯＤＤ２２への電源供給停止条件を設定し、その条件を満たす場合にはＯＤＤ２２への電源供給を停止することでパーソナルコンピュータ１の省電力化を図る。このＯＤＤ２２の電源供給停止（電源ＯＦＦ状態）から電源供給開始（電源ＯＮ状態）に復帰させる操作として、Ｅｊｅｃｔスイッチ２３の押下操作がある。
【００１５】
しかし、このＥｊｅｃｔスイッチ２３の押下があった場合に、無条件に電源供給を開始しトレイの排出を行うと、ユーザの誤操作によって意図しないタイミングでトレイが排出される事態を招く場合がある。例えば、パーソナルコンピュータ１を鞄の中に入れて持ち運ぶ際などは、Ｅｊｅｃｔスイッチ２３が誤って押下される可能性があり、この場合にトレイを排出するとトレイが鞄の中で開きトレイが破損する虞がある。そこで、本実施の形態では、パーソナルコンピュータ１の使用状況に応じて、ＯＤＤ２２の電源供給の再開を適切に行うことができる。以下、本実施の形態におけるパーソナルコンピュータ１を説明する。
【００１６】
図２を用いて、本実施の形態に係るパーソナルコンピュータ１の機能について説明する。図２は、実施形態の情報処理装置の機能を示すブロック図である。
パーソナルコンピュータ１は、ディスプレイ４と、タッチパッド６と、キーボード７と、電源スイッチ８と、ＣＰＵ１０と、メモリコントローラ１１と、主メモリ１２と、グラフィックスコントローラ１３と、ＶＲＡＭ１４と、サウスブリッジ１５と、ＨＤＤ１６と、ＢＩＯＳ−ＲＯＭ１７と、ＥＣ／ＫＢＣ１８と、電源コントローラ１９と、バッテリ２０と、ＡＣアダプタ２１と、ＯＤＤ２２と、Ｅｊｅｃｔスイッチ２３とから構成される。ＥＣ／ＫＢＣ１８はＯＤＤ電源制御部１８ａを備え、ＯＤＤ２２はＯＤＤ制御モジュール２２ａを備える。
【００１７】
ＣＰＵ１０は、本パーソナルコンピュータ１の動作を制御するために設けられたプロセッサであり、ＨＤＤ１６から主メモリ１２にロードされるオペレーティングシステム（ＯＳ５０）及び各種アプリケーションプログラムを実行する。またＣＰＵ１０は、ＢＩＯＳ−ＲＯＭ１７に格納されたシステムＢＩＯＳ５１を主メモリ１２にロードした後、実行する。システムＢＩＯＳ５１はハードウェア制御のためのプログラムである。
【００１８】
メモリコントローラ１１は、主メモリ１２に対するアクセスを制御する。主メモリ１２は、ＨＤＤ１６に記憶されるオペレーティングシステム（ＯＳ５０）及び各種アプリケーションプログラムや、ＢＩＯＳ−ＲＯＭ１７に格納されたシステムＢＩＯＳ５１を展開されるためのいわゆるワーキングメモリである。
【００１９】
グラフィックスコントローラ１３は、本コンピュータのディスプレイモニタとして使用されるディスプレイ４ａを制御する表示コントローラである。このグラフィックスコントローラ１３はオペレーティングシステム／アプリケーションプログラムによってＶＲＡＭ１４に描画された表示データから、ディスプレイ４ａに表示すべき表示イメージを形成する映像信号を生成する。
【００２０】
サウスブリッジ１５は、ＢＩＯＳ−ＲＯＭ１７へのアクセスや、ＨＤＤ１６及びＯＤＤ２２等のディスクドライブ（Ｉ／Ｏデバイス）の制御を行う。
ＨＤＤ１６は、ＯＳ５０及び各種アプリケーションプログラム等を記憶する記憶装置である。ＢＩＯＳ−ＲＯＭ１７は、ハードウェア制御のためのプログラムであるシステムＢＩＯＳ５１を格納する書き換え可能な不揮発性メモリである。
【００２１】
ＥＣ／ＫＢＣ１８は、入力手段としてのタッチパッド６、キーボード７の制御を行う。ＥＣ／ＫＢＣ１８はパーソナルコンピュータ１のシステム状況に関わらず、各種のデバイス（周辺機器、センサ、電源回路等）を監視し制御するワンチップ・マイコンである。またＥＣ／ＫＢＣ１８は、ユーザによる電源スイッチ８の操作に応じて、電源コントローラ１９と共同して、本パーソナルコンピュータ２をパワーオン／パワーオフする機能を有している。
【００２２】
ＯＤＤ電源制御部１８ａは、ＯＤＤ２２内のＯＤＤ制御モジュール２２ａの制御を行う。ＯＤＤ電源制御部１８ａは、ＯＤＤ２２への電源供給が停止されている場合（ＯＤＤ２２が電源ＯＦＦ状態の場合）、加速度センサ２４からの加速度情報と、電源コントローラ１９からのＡＣアダプタ２１の接続情報と、Ｅｊｅｃｔスイッチ２３からの操作情報とを参照して、ＯＤＤ２２への電源供給を再開する。
【００２３】
ここで、ＯＤＤ２２への電源供給が停止されている場合とは、パーソナルコンピュータ１の電源ステータスがサスペンド状態やスリープ状態の場合がある。また、パーソナルコンピュータ１が通常の動作状態であっても、ＯＤＤ２２の電源ＯＦＦ機能が有効になっている場合にＯＤＤ２２への電源供給が停止される場合がある。即ち、予めユーザがＯＤＤ２２への電源供給を停止する条件を設定する機能をパーソナルコンピュータ１が有している。例えば、パーソナルコンピュータ１のシステム電源が投入されてから所定時間内にＯＤＤ２２が使用されない場合には、ＯＤＤ２２への電源供給を停止する等の条件がある。この電源供給を停止される条件を設定する機能は、ＯＤＤ電源制御部１８ａによって実現される。
【００２４】
電源コントローラ１９は、外部電源がＡＣアダプタ２１を介して供給されている場合、ＡＣアダプタ２１から供給される外部電源を用いてパーソナルコンピュータ２の各コンポーネントに供給すべきシステム電源を生成する。また、電源コントローラ１９は、外部電源がＡＣアダプタ２１を介して供給されていない場合、バッテリ２０を用いてパーソナルコンピュータ２の各コンポーネント（コンピュータ本体３及びディスプレイユニット４）に供給すべきシステム電源を生成する。
【００２５】
電源コントローラ１９は、ＡＣアダプタ２１が外部電源と接続されているかを検出し、ＥＣ／ＫＢＣ１８及びＢＩＯＳ５１を介してＯＤＤ電源制御部１８ａに通知する。
【００２６】
ＯＤＤ２２は、光ディスクを再生するドライブである。ＯＤＤ２２は光ディスクを保持するトレイを有し、このトレイを本体内に収容した状態で光ディスクを読み取り光ディスクに記憶されている各種のデータを再生する。具体的にはスピンドルモータが光ディスクを回転させ、光ピックアップヘッドが光ディスクに光ビームを照射することで、光ディスクの反射光の検出信号を出力することで光ディスクに記憶されているデータを読み取ることができる。また、トレイの側面にはトレイを排出することを指示するためのＥｊｅｃｔボタン２３が備えられている。
【００２７】
本実施の形態においては、ＯＤＤ２２はサウスブリッジ１５と共に、ＥＣ／ＫＢＣ１８にも接続されている。ＥＣ／ＫＢＣ１８は、パーソナルコンピュータ１のシステム状況に関わらず、電源供給がされているのでＯＤＤ２２を介して入力されるＥｊｅｃｔスイッチ２３からのトレイ排出の指示を常時検出することができる。
【００２８】
加速度センサ２４は、パーソナルコンピュータ１の加速度を検出し、検出結果をＥＣ／ＫＢＣ１８に出力する。加速度センサとしては、サーボ型、圧電型、静電容量型及びピエゾ抵抗型などがある。
【００２９】
次に、図３を用いて、ＯＤＤ２２を電源ＯＦＦ状態から電源ＯＮ状態へ遷移させる際のパーソナルコンピュータ１の動作について説明する。図３は、実施形態の情報処理装置の電源制御を説明する図である。
【００３０】
まず、ＯＤＤ２２の電源ＯＦＦ状態へ遷移させる手順を説明する。ＯＤＤ電源制御部１８ａは、パーソナルコンピュータ１がサスペンド状態、スリープ状態若しくは所定のＯＤＤ２２電源供給停止条件を満たす状態である場合、ＯＤＤ２２電源供給停止信号を、ＢＩＯＳ５１を経由してＥＣ／ＫＢＣ１８に通知する。ＥＣ／ＫＢＣ１８は、ＯＤＤ制御モジュール２２ａを介して、ＯＤＤ２２へ電源供給停止信号を送出し、ＯＤＤ２２内部に備えられる電源スイッチをオフする。
【００３１】
次に、ＯＤＤ２２の電源ＯＦＦ状態から電源ＯＮ状態へ遷移させる手順を説明する。まず、ＥＣ／ＫＢＣ１８は、Ｅｊｅｃｔスイッチ２３からのトレイ排出要求信号を受信したか否かを判別する。トレイ排出要求信号は、ＯＤＤ２２、ＯＤＤ制御モジュール２２ａ、ＥＣ／ＫＢＣ１８及びＢＩＯＳ５１を経由してＯＤＤ電源制御部１８ａへ通知される。次に、ＯＤＤ電源制御部１８ａは、ＢＩＯＳ５１及びＥＣ／ＫＢＣ１８を経由して、加速度センサ２４から加速度情報を取得し、閾値以上の加速度が検出されたか否かを判別する。また、ＯＤＤ電源制御部１８ａは、ＢＩＯＳ５１及びＥＣ／ＫＢＣ１８を経由して、電源コントローラ１９からＡＣアダプタ２１が外部電源に接続されているか否かを示す情報を取得する。
【００３２】
ＯＤＤ電源制御部１８ａは、トレイ排出要求信号を受信し、閾値以上の加速度が検出されず、ＡＣアダプタ２１が外部電源に接続されていると判別した場合、ＯＤＤ２２電源供給開始信号を送出する。ＥＣ／ＫＢＣ１８は、ＯＤＤ２２電源供給開始信号をＢＩＯＳ５１を経由して受信すると、ＯＤＤ２２内部に備えられる電源スイッチをＯＮする。以上のような手順で、ＯＤＤ電源制御部１８ａによりＯＤＤ２２への電源供給が再開される。
【００３３】
次に、ＯＤＤ電源制御部１８ａは、トレイ排出指示信号をＢＩＯＳ５１、ＥＣ／ＫＢＣ１８及びＯＤＤ制御モジュール２２ａを経由して、ＯＤＤ２２へ通知する。ＯＤＤ２２は、トレイ排出指示信号を受信すると、トレイを外部へ排出し、光ディスクの取り出し及び挿入が可能な状態となる。
【００３４】
次に、図４を用いて、ＯＤＤ２２を電源ＯＦＦ状態から電源ＯＮ状態へ遷移させる場合のパーソナルコンピュータ１の制御手順を説明する。図４は、第１の実施形態の情報処理装置の電源制御手順を示すフローチャートである。
【００３５】
まず、ＯＤＤ電源制御部１８ａは、ＯＤＤ２２の電源をＯＦＦする（ステップＳ１０１）。次に、ＯＤＤ制御モジュール２２ａは、Ｅｊｅｃｔスイッチ２３の操作があったか否かを判別する（ステップＳ１０２）。
【００３６】
ステップＳ１０２で判別した結果、Ｅｊｅｃｔスイッチ２３の操作がないと判別した場合（ステップＳ１０２のＮｏ）、ステップＳ１０２に戻る。一方、ステップＳ１０２で判別した結果、Ｅｊｅｃｔスイッチ２３の操作があったと判別した場合（ステップＳ１０２のＹｅｓ）、加速度センサ２４で閾値以上の加速度を検出したか否かを判別する（ステップＳ１０３）。
【００３７】
ステップＳ１０３で判別した結果、閾値以上の加速度を検出したと判別した場合（ステップＳ１０３のＹｅｓ）、ステップＳ１０３に戻る。一方、ステップＳ１０３で判別した結果、閾値以上の加速度を検出していないと判別した場合（ステップＳ１０３のＮｏ）、ＯＤＤ電源制御部１８ａは、電源コントローラ１９からＡＣアダプタ２１が外部電源に接続されているか否かを示す検出結果を受信し、ＡＣアダプタ２１が外部電源に接続されているか否かを判別する（ステップＳ１０４）。
【００３８】
ステップＳ１０４で判別した結果、ＡＣアダプタ２１が外部電源に接続がされていないと判別した場合（ステップＳ１０４のＮｏ）、本電源制御手順を終了する。一方、ステップＳ１０４で判別した結果、ＡＣアダプタ２１が外部電源に接続されていると判別した場合（ステップＳ１０４のＹｅｓ）、ＯＤＤ電源制御部１８ａは、ＯＤＤ２２内部の電源スイッチに電源ＯＮ信号を通知し、ＯＤＤ２２の電源をＯＮする（ステップＳ１０５）。
【００３９】
次に、ＯＤＤ電源制御部１８ａは、ＯＤＤ制御モジュール２２ａを介してＯＤＤ２２にトレイ排出指示信号を通知し、トレイを排出させる（ステップＳ１０６）。以上で、本実施の形態における電源制御手順は終了する。
【００４０】
以上のように構成される第１の実施形態によれば、パーソナルコンピュータ１の使用状況に応じて、ＯＤＤ２２への電源供給を制御することができる。即ち、ＯＤＤ２２の電源がＯＦＦ状態である場合に、Ｅｊｅｃｔスイッチ２３が操作されると、加速度センサ２４で加速度を検出すると共に、ＡＣアダプタ２１が外部電源に接続されているか否かを検出する。その結果、閾値以下の加速度であり、ＡＣアダプタ２１が外部電源に接続されていると検出した場合、ＯＤＤ２２への電源供給を開始する。即ち、パーソナルコンピュータ１の移動が検出されず、またバッテリ駆動でない場合には、パーソナルコンピュータ１が持ち運ばれていないと判別して、ＯＤＤ２２へ電源供給を開始しトレイを排出する。
【００４１】
第１の実施形態によれば、パーソナルコンピュータ１の加速度だけでなく、駆動状態を検出することで、パーソナルコンピュータ１の使用状況をより厳密に判別し、ＯＤＤ２２の制御をすることができる。パーソナルコンピュータ１の加速度だけで移動しているか否かを判別すると、意図しないタイミングでＯＤＤ２２のトレイが排出される虞がある。例えば、低速で移動している場合や、移動中に停止している場合に、誤ってＥｊｅｃｔスイッチ２３が押下される場合などである。
【００４２】
第１の実施形態によれば、ＡＣアダプタ２１が外部接続されているか否かを判別することで、パーソナルコンピュータ１が移動中であるか否かをより正確に判別することができる。即ち、加速度センサ２４で移動が検出されない場合であっても、バッテリ駆動である場合には移動中である可能性があるためＯＤＤ２２への電源供給は開始しない。従って、ユーザの意図しないタイミングで、トレイが誤って排出され破損することがない。
【００４３】
また第１の実施形態によれば、ＡＣアダプタ２１が外部電源に接続されていない場合には強制的にＯＤＤ２２の電源をオンしないことで、省電力化を図ることができる。尚、ＡＣアダプタ２１を外部電源に接続せずにバッテリ駆動している場合には、表示部に表示するユーザインターフェース等で操作を行うことにより、ＯＤＤ２２の電源をオンすることができるとしても良い。
次に、第２の実施の形態について説明する。図５は、第２の実施形態の情報処理装置の電源制御手順を示すフローチャートである。
まず、ＯＤＤ電源制御部１８ａは、ＯＤＤ２２の電源をＯＦＦする（ステップＳ２０１）。次に、ＯＤＤ制御モジュール２２ａは、Ｅｊｅｃｔスイッチ２３の操作があったか否かを判別する（ステップＳ２０２）。
【００４４】
ステップＳ２０２で判別した結果、Ｅｊｅｃｔスイッチ２３の操作がないと判別した場合（ステップＳ２０２のＮｏ）、ステップＳ２０２に戻る。一方、ステップＳ２０２で判別した結果、Ｅｊｅｃｔスイッチ２３の操作があったと判別した場合（ステップＳ２０２のＹｅｓ）、ＯＤＤ電源制御部１８ａは、電源コントローラ１９からＡＣアダプタ２１が外部電源に接続されているか否かを示す検出結果を受信し、ＡＣアダプタ２１が外部電源に接続がされているか否かを判別する（ステップＳ２０３）。
【００４５】
ステップＳ２０３で判別した結果、ＡＣアダプタ２１が外部電源に接続がされていると判別した場合（ステップＳ２０３のＹｅｓ）、ステップＳ２０６に進む。
一方、ステップＳ２０３で判別した結果、ＡＣアダプタ２１が外部電源に接続がされていないと判別した場合（ステップＳ２０３のＮｏ）、ＯＤＤ電源制御部１８ａは、トレイ排出指示と認識するＥｊｅｃｔスイッチ２３の操作時間を延長する（ステップＳ２０４）。即ち、ＯＤＤ電源制御部１８ａは、トレイ排出要求信号の受信時間に閾値を設け、この閾値以上の時間にわたってトレイ排出要求信号を受信した場合にトレイ排出指示として認識する。
【００４６】
次に、ＯＤＤ電源制御部１８ａは、延長した操作時間にわたりＥｊｅｃｔスイッチ２３が押下されたか否かを判別する（ステップＳ２０５）。ステップＳ２０５で判別した結果、延長した操作時間にわたりＥｊｅｃｔスイッチ２３が押下されていないと判別した場合（ステップＳ２０５のＮｏ）、ステップＳ２０５に戻る。
【００４７】
一方、ステップＳ２０５で判別した結果、延長した操作時間にわたりＥｊｅｃｔスイッチ２３が押下されたと判別した場合（ステップＳ２０５のＹｅｓ）、加速度センサ２４で閾値以上の加速度を検出したか否かを判別する（ステップＳ２０６）。
【００４８】
ステップＳ２０６で判別した結果、閾値以上の加速度を検出したと判別した場合（ステップＳ２０６のＹｅｓ）、ステップＳ２０６に戻る。即ち、バッテリ駆動の場合であって移動していると判別した場合にはＯＤＤ２２の電源をＯＮしない。一方、ステップＳ２０６で判別した結果、閾値以上の加速度を検出していないと判別した場合（ステップＳ２０６のＮｏ）、ＯＤＤ電源制御部１８ａは、ＯＤＤ２２内部の電源スイッチに電源ＯＮ信号を通知し、ＯＤＤ２２の電源をＯＮする（ステップＳ２０７）。
【００４９】
次に、ＯＤＤ電源制御部１８ａは、ＯＤＤ制御モジュール２２ａを介してＯＤＤ２２にトレイ排出指示信号を通知し、トレイを排出させる（ステップＳ２０８）。以上で、第２の実施の形態における電源制御手順は終了する。
【００５０】
以上のように、第２の実施の形態によれば、バッテリ駆動であって移動を検出していない場合には、Ｅｊｅｃｔスイッチ２３の長押し操作でトレイを排出することができる。Ｅｊｅｃｔスイッチ２３の操作時間を変更するのみで、ＯＤＤ電源ＯＦＦ設定を解除することができるので利便性を損なうことがない。
【００５１】
次に、第３の実施の形態について説明する。図６は、第３の実施形態の情報処理装置の電源制御手順を示すフローチャートである。図５と同じステップについては同じ符号を付し、説明は省略する。
【００５２】
ステップＳ２０３で判別した結果、ＡＣアダプタ２１が外部電源に接続がされていないと判別した場合（ステップＳ２０３のＮｏ）、ＯＤＤ電源制御部１８ａは、トレイ排出指示と認識するＥｊｅｃｔスイッチ２３の操作を設定変更する（ステップＳ３０４）。例えば、本実施の形態においては、所定時間内に複数回Ｅｊｅｃｔスイッチ２３が押下された場合にトレイ排出指示と認識すると設定する。
【００５３】
次に、ＯＤＤ電源制御部１８ａは、Ｅｊｅｃｔスイッチ２３において設定変更された操作がされたか否か、即ち本実施の形態においては、所定時間内に複数回Ｅｊｅｃｔスイッチ２３が押下されたか否かを判別する（ステップＳ３０５）。ステップＳ３０５で判別した結果、所定時間内に複数回Ｅｊｅｃｔスイッチ２３が押下されていないと判別した場合（ステップＳ３０５のＮｏ）、ステップＳ３０５に戻る。
【００５４】
一方、ステップＳ３０５で判別した結果、所定時間内に複数回Ｅｊｅｃｔスイッチ２３が押下されたと判別した場合（ステップＳ３０５のＹｅｓ）、加速度センサ２４で閾値以上の加速度を検出したか否かを判別する（ステップＳ２０６）。以後の手順は図５の説明と同様であるので説明を省略する。
【００５５】
以上のように、第３の実施の形態によれば、バッテリ駆動であって移動を検出していない場合には、Ｅｊｅｃｔスイッチ２３を所定時間内に複数回押下することでトレイを排出することができる。Ｅｊｅｃｔスイッチ２３の操作を設定変更するのみで、ＯＤＤ電源ＯＦＦ設定を解除することができるので利便性を損なうことがない。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
１…パーソナルコンピュータ、２…本体ユニット、３…ディスプレイユニット、４…ディスプレイ、５…ヒンジ、６…タッチパッド、７…キーボード、８…電源スイッチ、１０…ＣＰＵ、１１…ノースブリッジ、１２…主メモリ、１３…グラフィックコントローラ、１４…ＶＲＡＭ、１５…サウスブリッジ、１６…ＨＤＤ、１７…ＢＩＯＳ−ＲＯＭ、１８…ＥＣ／ＫＢＣ、１８ａ…ＯＤＤ電源制御部、１９…電源コントローラ、２０…バッテリ、２１…ＡＣアダプタ、２２…ＯＤＤ、２２ａ…ＯＤＤ制御モジュール、２３…Ｅｊｅｃｔスイッチ、５０…ＯＳ、５１…ＢＩＯＳ。
【図１】
2012195049.tif 000003
【図２】
2012195049.tif 000004
【図３】
2012195049.tif 000005
【図４】
2012195049.tif 000006
【図５】
2012195049.tif 000007
【図６】
2012195049.tif 000008